(57)【要約】      （修正有）【課題】簡易でありながら貰い手や見る人にその華やかさを強く印象づけることができる装飾が施された祝い花を提供する。【解決手段】この考案の祝い花は、電源と発光ダイオード４１とが極細のリード線４２で接続された装飾照明具４を取り付けて構成する。このため、発光ダイオードを点灯させることによって祝い花の華やかさを演出することができ、特に、比較的暗い場所などに飾られた場合には高い装飾効果を得ることができる。【選択図】図１
0003150060.tif 000002
【実用新案登録請求の範囲】
【請求項１】
電源と発光ダイオードとが極細のリード線で接続された装飾照明具が取り付けられた祝い花。
【請求項２】
リード線及び発光ダイオードは、防水加工が施された請求項１記載の祝い花。
【請求項３】
リード線の直径は０．２ｍｍ以下とした請求項１又は２記載の祝い花。
【考案の詳細な説明】
【技術分野】
【０００１】
この考案は、装飾照明具が取り付けられた祝い花に関するものである。
【背景技術】
【０００２】
店舗の開店祝い、開業祝い、個展祝い、楽屋見舞い等の祝い事で贈られる祝い花は、生花やプリザーブドフラワー等の花が、贈り主と宛名が記された立て札と共に、華やかに鉢植え状にアレンジされている。
この祝い花は、その素材となる花の選択や全体アレンジなどで華やかさや美しさが表現されるものであるが、より華やかさや美しさを演出するために、花以外の装飾品、例えばリボンや各種包装紙などを用いて装飾が施されることがある。
【特許文献１】実用新案登録第３０５８５９４号公報
【０００３】
しかしながら、リボンや各種包装紙などの装飾品による装飾は、祝い花が明るい場所に飾られている場合には華やかさを演出することができるが、比較的暗い場所に飾られている場合にはあまり目立たず、華やかさの演出効果がそれほど得られない。
また、リボンや各種包装紙などの装飾品による装飾ではありきたりな装飾とならざるを得ず、祝い花の華やかさを演出する手法としては新鮮味に欠け、貰い手やこれを見る者にその華やかさを強く印象付けることは難しい。
他方、祝い花が飾られる期間は比較的短く、使用後は処分されるのが一般的であることから、大がかりな装飾は施されにくいものである。
【考案の開示】
【考案が解決しようとする課題】
【０００４】
この考案は、簡易でありながら貰い手や看者にその華やかさを強く印象づける装飾が施された祝い花を得ることを課題とするものである。
【課題を解決するための手段】
【０００５】
この考案の祝い花は、電源と発光ダイオードとが極細のリード線で接続された装飾照明具を取り付けて構成する。
この考案において「祝い花」とは、開店祝い、開業祝い、個展祝い、楽屋見舞い等の祝事に贈られる生花又はプリザーブドフラワーであって、「お祝い」の文字や名宛人の氏名・名称が記載された標札が取り付けられたものをいう。
前記リード線は防水加工を施すのがよい（請求項２）。前記防水加工としては、防水剤を塗布する等の既存の防水加工が考えられる。
リード線の径は、０．２ｍｍ以下とすることが好ましい（請求項３）。
【考案の効果】
【０００６】
この考案によれば、電源と発光ダイオードとが極細のリード線で接続された装飾照明具が祝い花に取り付けてあるので、発光ダイオードを点灯させることによって祝い花の華やかさを演出することができ、特に、比較的暗い場所などに飾られた場合には高い装飾効果を得ることができる。
配線には極細のリード線が用いられているので、明るいところに飾られた場合でもその配線が目立つことはなく、発光ダイオードの光が宙に浮いているような視覚的効果が得られる。そして、風が吹けばその風に応じて発光ダイオードの光も揺らぐので、風による光の演出効果も得られる。
したがって、簡易でありながら貰い手や看者にその華やかさを強く印象づける装飾が施された祝い花を得ることができる。
【０００７】
また、光源として熱を発しない発光ダイオードを用いているので、祝い花の素材として生花を用いた場合にも熱によって生花を痛めることはない。
さらに、リード線及び発光ダイオードに防水加工を施すものとすれば、水分を多く含んだ生花を祝い花の素材とすることができ、また、祝い花を店頭などの屋外にも飾ることができる（請求項２）。
【考案を実施するための最良の形態】
【０００８】
図１は、この考案の実施例である。
祝い花は、複数の種類の生花（あるいはプリザーブドフラワー）１が鉢２にバランスよくアレンジされ、このアレンジされた花の背後には贈り主と宛名などが記された立て札（標札）３が立てられて構成されている。
この祝い花には、複数の発光ダイオード４１と図示しないバッテリー及び０．２ｍｍ以下の極細リード線４２とで構成された装飾照明具４が取り付けられている。バッテリーは鉢２内に収納されており、極細リード線４２は生花１に這わせたりあるいは生花１間をまたぐようにして生花に絡ませて、複数の発光ダイオード４１間の間隔が適度な間隔を置くように取り付けられている。発光ダイオード４１と極細リード線４２は防水加工が施されており、発光ダイオード４１は直列に接続してある。
バッテリーは鉢２内に収納され、リード線４２の径は０．２ｍｍ以下と極細であり、かつ、生花１の各花間を這わせるようにして（リード線を花びらや枝などに引っかけて）取り付けてあるので、装飾照明具４が祝い花の外観上目立つことはない。そして、発光ダイオード４１の点灯時には、その光が生花にちりばめられたように見えるので、祝い花を美しく華やかに演出することができる。
【０００９】
図２は、二段構成にした祝い花の実施例を屋外の店先に飾った様子を示す図である。
鉢２を上下二段に載置することができるスタンド５に二つの祝い花が各段に載置されている。載置される祝い花は第１の実施例における祝い花の構成と同様であり、生花１が鉢２にバランスよくアレンジされ、複数の発光ダイオード４１と図示しないバッテリー及び０．２ｍｍ以下の極細リード線４２とで構成された装飾照明具４が取り付けられている。直列接続された複数の発光ダイオード４１は、そのリード線４２を花びらや枝などに引っかけるようにして取り付けてある。図示しないバッテリーは鉢２内の密閉空間に収納されて防水されており、発光ダイオード４１及び極細リード線４２も防水加工が施されている。
贈り主と宛名などが記された立て札３は生花１の背後側のスタンド５に取り付けてある。
また、二段構成の祝い花とすることで全体的にボリューム感を持たせることができ、生花にちりばめられたように見える見える発光ダイオードの光と相俟って、より一層華やかさを演出することができる。
【産業上の利用可能性】
【００１０】
この考案は、装飾照明具が取り付けられた祝い花に関するものであって、産業上の利用可能性を有するものである。
【図面の簡単な説明】
【００１１】
【図１】この考案の祝い花の実施例を示す図
【図２】この考案の祝い花を二段構成にした実施例を示す図
【符号の説明】
【００１２】
１    生花
２    鉢
３    立て札
４    装飾照明具
４１  発光ダイオード
４２  リード線
５    スタンド
【図１】
0003150060.tif 000003
【図２】
0003150060.tif 000004
【手続補正書】
【提出日】平成21年2月16日(2009.2.16)
【手続補正１】
【補正対象書類名】図面
【補正対象項目名】全図
【補正方法】変更
【補正の内容】
【図１】
0003150060.tif 000005
【図２】
0003150060.tif 000006